(57)【要約】【課題】フチ無し印字における廃インク量を計算することにより廃インク吸収体を効率的に使用し装置の小型化、コストダウンを行う。【解決手段】記録媒体の縁より外側に外れたインク量を算出する算出し積算する事により廃インクの量を計算し該積算値に応じて記録を停止する。【選択図】        図１
2004351866.tif 000002
【特許請求の範囲】
【請求項１】
インクを飛翔させて記録を行うインクジェット記録ヘッドと、
前記インクジェット記録ヘッドを、搭載して主走査方向に走査するキャリッジと、
記録媒体搬送手段と、
前記記録ヘッドによる記録を前記記録媒体の縁より外側に外れるまで行う記録制御手段と、
前記記録媒体の縁より外側に外れたインク量を算出する算出手段と、
前記記録媒体の縁より外側に外れたインク量を積算する積算手段と、
前記記録媒体の縁より外側に外れたインクを回収する回収手段と、
を有するインクジェット機録装置において、
前記計測積算値に応じて記録を停止することを特徴とするインクジェット記録装置。
【請求項２】
インクを飛翔させて記録を行うインクジェット記録ヘッドと、
前記インクジェット記録ヘッドを、搭載して主走査方向に走査するキャリッジと、
記録媒体搬送手段と、
前記記録ヘッドによる記録を前記記録媒体の縁より外側に外れるまで行う記録制御手段と、
記録モード情報を基に前記記録媒体の縁より外側に外れたインク量を算出する算出手段と、
前記記録媒体の縁より外側に外れたインク量を積算する積算手段と、
前記記録媒体の縁より外側に外れたインクを回収する回収手段と、
を有するインクジェット機録装置において、
前記計測積算値に応じて記録を停止することを特徴とするインクジェット記録装置。
【請求項３】
前記記録モード情報は用紙サイズ情報であることを特徴とする請求項２のインクジェット記録装置。
【請求項４】
前記記録モード情報は印字品位情報であることを特徴とする請求項２のインクジェット記録装置。
【請求項５】
前記記録モード情報は用紙種類情報であることを特徴とする請求項２のインクジェット記録装置。
【請求項６】
前記記録モード情報は前記記録媒体の縁より外側に外れる距離の設定情報であることを特徴とする請求項２のインクジェット記録装置。
【請求項７】
インクを飛翔させて記録を行うインクジェット記録ヘッドと、
前記インクジェット記録ヘッドを、搭載して主走査方向に走査するキャリッジと、
記録媒体搬送手段と、
前記記録ヘッドによる記録を前記記録媒体の縁より外側に外れるまで行う記録制御手段と、
記録媒体の平均デューティ算出手段と、
記録平均デューティ算出結果と前記記録媒体の縁より外側に外れるまで行った面積情報を基に前記記録媒体の縁より外側に外れたインク量を算出する算出手段と、
前記記録媒体の縁より外側に外れたインク量を積算する積算手段と
を有するインクジェット機録装置において、
前記計測積算値に応じて記録を停止することを特徴とするインクジェット記録装置。
【請求項８】
インクを飛翔させて記録を行うインクジェット記録ヘッドと、
前記インクジェット記録ヘッドを、搭載して主走査方向に走査するキャリッジと、
記録媒体搬送手段と、
前記記録ヘッドのインクを排出させる排出手段と、
前記排出手段により排出されたインク量を算出する算出手段と、
前記記録ヘッドによる記録を前記記録媒体の縁より外側に外れるまで行う記録制御手段と、
前記記録媒体の縁より外側に外れたインク量を算出する算出手段と、
前記記録媒体の縁より外側に外れたインク量と前記排出手段により排出されたインク量を積算する積算手段と、
前記記録媒体の縁より外側に外れたインクと前記排出手段により排出されたインクを回収する回収手段と、
を有するインクジェット機録装置において、
前記計測積算値に応じて記録を停止することを特徴とするインクジェット記録装置。
【請求項９】
前記積算値は時間と共に減算する減算手段を有することを特徴とする請求項１から８のインクジェット記録装置。
【請求項１０】
前記減算は前記インク回収手段から蒸発するインク量に比例することを特徴とする請求項９のインクジェット記録装置。
【発明の詳細な説明】
【０００１】
【発明の属する技術分野】
本発明は、インクジェット記録装置、記録媒体よりやや大きなサイズの印字を行うことによりいわゆる「フチなし印字」を行う方法に関するものである特開２００１−３０１２０１号公報には、はみ出し印刷が実行されたときに、１パス動作毎に、案内部材の各インク受け穴に吐出されるインク量を計数してインク廃液の量を個別に積算して、いずれかのインク受け穴に吐出されたインク廃液の量が所定の値に達したと判定したときにインク吸収剤を交換するなどのメンテナンスを促す表示がされる構成が開示されています。
【０００２】
【従来の技術】
従来、紙、０ＨＰ用シート等の記録媒体に対して記録を行う記録装置は、種々の記録方式による記録ヘッドを搭載した形態で実用化されている。この記録ヘッドには、ワイヤードット方式、感熱方式、熱転写方式、インクジェット方式によるもの等がある。特にインクジェット方式は、記録媒体に直接インクを吐出するため、ランニングコストが安価で、静かな記録方法として注目されている。
【０００３】
またインクジェット方式はインクを飛翔させて記録を行うため記録ヘッドと記録媒体を非接触で記録が行える。
【０００４】
このため記録媒体のサイズより若干大きめの記録を行い（以下はみ出し印字と呼ぶ場合がある）、結果として記録媒体の余白を無しにした記録結果を提供することが出来る。
【０００５】
このはみ出し印字の範囲は記録媒体のサイズのばらつきや、用紙搬送中のズレなどを十分に吸収する範囲に設定されている。
【０００６】
はみ出し印字を行ったときの記録媒体外に吐出されたインクは、記録ヘッドと対向する位置で記録媒体の反記録面に沿うように設けられているプラテンと呼ばれる部材にインク回収部が設けられて廃インクとして回収される。
【０００７】
前記プラテンに設けられたインク回収部にはインク保持手段が接続されており以下プラテン吸収体と呼ぶ。
【０００８】
上記プラテン吸収体は、記録装置の大きさや、該記録装置が組込まれる情報処理装置等の大きさ等から、インク貯蔵量について制限が発生する。
【０００９】
しかしながら上記制限を越えてプラテン吸収体やインク貯蔵部材へのインク流入が行なわれると、インク貯蔵部材から貯蔵すべきインクが漏れる事が考えられる。インクは一般的に、水やその他の導電性物質を含む事が多いため事故につながる危険性を含んでおりインク漏れについては十分な防止策が必要である。
【００１０】
防止策の例としては、フチなし印字を行った記録媒体の枚数を計数した結果をインク量に換算し、積算するインク排出量カウンタを設けこのカウンタの値とプラテン吸収体の貯蔵能力と比較し、規定の貯蔵量に到達した場合に記録装置の動作を強制的に中止し操作者に対して警告を報知する方法が考案されている。
【００１１】
【発明が解決しようとする課題】
上記従来例ではプラテン吸収体へのインク量の積算はフチなし印字を行った記録媒体の枚数によるものであり、記録装置の最大サイズの記録媒体に、最大デューティでフチなし部分が記録されたことを想定し１枚ごとの積算廃インク量を積算していた。
【００１２】
しかしながら、実際のユーザの使用形態では最大記録媒体に最大デューティでフチなし部分が記録されることは稀で、実際のインク吸収量とかけ離れてしまいプラテン吸収体の吸収能力に余裕がある状態で廃インクエラーとなることがあった。
【００１３】
【課題を解決するための手段】
本発明は以下の特徴による手段で課題を解決した。
【００１４】
（手段１）
インクを飛翔させて記録を行うインクジェット記録ヘッドと、
前記インクジェット記録ヘッドを、搭載して主走査方向に走査するキャリッジと、
記録媒体搬送手段と、
前記記録ヘッドによる記録を前記記録媒体の縁より外側に外れるまで行う記録制御手段と、
前記記録媒体の縁より外側に外れたインク量を算出する算出手段と、
前記記録媒体の縁より外側に外れたインク量を積算する積算手段と、
を有するインクジェット機録装置において、
前記計測積算値に応じて記録を停止することを特徴とする。
【００１５】
（手段２）
インクを飛翔させて記録を行うインクジェット記録ヘッドと、
前記インクジェット記録ヘッドを、搭載して主走査方向に走査するキャリッジと、
記録媒体搬送手段と、
前記記録ヘッドによる記録を前記記録媒体の縁より外側に外れるまで行う記録制御手段と、
記録モード情報を基に前記記録媒体の縁より外側に外れたインク量を算出する算出手段と、
前記記録媒体の縁より外側に外れたインク量を積算する積算手段と、
を有するインクジェット機録装置において、
前記計測積算値に応じて記録を停止することを特徴とする。
【００１６】
（手段３）
前記記録モード情報は用紙サイズ情報であることを特徴とする手段２のインクジェット記録装置。
【００１７】
（手段４）
手段２において前記記録モード情報は印字品位情報であることを特徴とする。
【００１８】
（手段５）
手段２において前記記録モード情報は用紙種類情報であることを特徴とする。
【００１９】
（手段６）
手段２において前記記録モード情報は前記記録媒体の縁より外側に外れる距離の設定情報であることを特徴とする。
【００２０】
（手段７）
インクを飛翔させて記録を行うインクジェット記録ヘッドと、
前記インクジェット記録ヘッドを、搭載して主走査方向に走査するキャリッジと、
記録媒体搬送手段と、
前記記録ヘッドによる記録を前記記録媒体の縁より外側に外れるまで行う記録制御手段と、
記録媒媒体の平均デューティ算出手段と、
記録平均デューティ算出結果と前記記録媒体の縁より外側に外れるまで行った面積情報を基に前記記録媒体の縁より外側に外れたインク量を算出する算出手段と、
前記記録媒体の縁より外側に外れたインク量を積算する積算手段と、
を有するインクジェット機録装置において、
前記計測積算値に応じて記録を停止することを特徴とする。
【００２１】
（手段８）
インクを飛翔させて記録を行うインクジェット記録ヘッドと、
前記インクジェット記録ヘッドを、搭載して主走査方向に走査するキャリッジと、
記録媒体搬送手段と、
前記記録ヘッドのインクを排出させる排出手段と、
前記排出手段により排出されたインク量を算出する算出手段と、
前記記録ヘッドによる記録を前記記録媒体の縁より外側に外れるまで行う記録制御手段と、
前記記録媒体の縁より外側に外れたインク量を算出する算出手段と、
前記記録媒体の縁より外側に外れたインク量と前記排出手段により排出されたインク量を積算する積算手段と、
前記記録媒体の縁より外側に外れたインクと前記排出手段により排出されたインクを回収する回収手段と、
を有するインクジェット機録装置において、
前記計測積算値に応じて記録を停止することを特徴とする。
【００２２】
（手段９）
手段１から８において前記積算値は時間と共に減算する減算手段を有することを特徴とする。
【００２３】
（手段１０）
手段９において前記減算は前記インク回収手段から蒸発するインク量に比例することを特徴とする。
【００２４】
【発明の実施の形態】
（実施例１）
図１は本発明の一実施形態にかかわるインクジェットプリンタの全体構成を表す斜視図である。外装や本発明にかかわらない部分については図示を省略してある。
【００２５】
３は複数枚積載された記録媒体を１枚ずつ記録部分に送り出すＡＳＦである。
【００２６】
ＡＳＦ３から送り出された記録媒体はＬＦローラ６と不図示のピンチローラにより記録部に搬送される。
【００２７】
ＬＦローラ６はＬＦモータ５の駆動力をＬＦギア４により伝達され印字命令に基づき間欠的に駆動される副走査方向に記録媒体を搬送する。
【００２８】
記録用紙の案内を行うためにプラテン９が配置されている。プラテン９に対向する部分にはインクジェット記録ヘッドを搭載したキャリッジ１が配置され、キャリッジ１にはインクジェット記録ヘッドにインクを供給するインクを貯蔵したインクタンクが搭載されている。
【００２９】
キャリッジ１はガイド軸２に案内され不図示のキャリッジモータの駆動を不図示のタイミングベルトを介して駆動され印字命令に基づき主走査方向に記録ヘッドを走査する。
【００３０】
ＬＦローラ６による副走査とキャリッジ１による主走査を交互に繰り返し記録媒体上に画像を形成するいわゆるシリアル記録動作を行う。
【００３１】
記録が終了した記録媒体は排紙ローラ１１とにより機外に排出される。
【００３２】
次に吐出回復処理について説明する。
【００３３】
インクジェット記録ヘッドは良好な記録を行うため吐出回復処理を行う必要がある。
【００３４】
吐出回復処理とは、インク吐出内方に設けられてインク吐出のために利用されるエネルギ発生素子を駆動する事により全吐出口からインクを吐出させ排出する、これによって気泡や塵挨、あるいは、増粘して記録に適さなくなったインクといった吐出不良要因を除去する処理（予備吐出）や、これとは別に吐出口形成面をキャップ７で覆った状態で吐出口よりインクを吸引ポンプにより強制的に吸引排出させる事により吐出不良要因を除去する処理である。
【００３５】
図２の模式図で廃インクの流路に関する説明を行う。
【００３６】
予備吐出はキャップに対向した位置で行う場合と、プラテン９に設けられたプラテン開口１０に行う場合がある。
【００３７】
プラテン９に設けられたプラテン開口１０の直下にはプラテン吸収体１２が設けられており通常はプラテン開口１０に対向する位置にキャリッジを移動して予備吐出を行う。
【００３８】
また吐出口形成面をキャップ１４で覆った状態で、吸引ポンプ１４を用いて全吐出口よりインクを強制的に吸引排出させる事により吐出不良要因を除去する処理がある。ポンプ１４の排出口はメイン吸収体１３に接続されている。
【００３９】
プラテン吸収体１２やメイン吸収体１３はパルプや化学繊維、麻、古紙などを原料とする不職布や高分子吸収体、または発泡ウレタン（いわゆるスポンジ）などから成型されている。
【００４０】
メイン廃インク吸収体とプラテン吸収体を流路で接続している方法、あるいはメイン廃インク吸収体とプラテン吸収体を一体化している場合もあるが大きなサイズにすると吸収体に吸収したインクの水頭が発生する問題がある。
【００４１】
ここでさらに詳しく廃インクの水頭問題について説明する。近年のパソコンの小型化により鞄などに入れて運搬するいわゆるノートパソコンの普及によりプリンタも小型で持ち運び可能なタイプが普及している。この場合プリンタを縦にして運ぶ場合も想定され例えば横幅３００ｍｍのプリンタを立てた場合３００ｍｍＡｑ（水と仮定した場合）の圧力が発生する。当然廃インク吸収体の保持する能力はこれを上廻る必要がある。このような観点から廃インク吸収体のサイズを大きくすることは不利になり複数に分割したほうがトータルの廃インク吸収能力が大きくなる。
【００４２】
このような観点から本発明では廃インク吸収体をメイン吸収体１３とプラテン吸収体１２に分割した。
【００４３】
据え置き型の記録装置のように使用状態が変化しないものはこのような考慮が必要なく一体化してあっても問題ない。
【００４４】
（フチなし印字）
図４の模式図を用いてフチなし印字について説明する。
【００４５】
記録媒体のサイズより若干大きめの記録を行い、結果として記録媒体の余白を無しにした記録結果を提供することが出来る。
【００４６】
このはみ出し印字の範囲は記録媒体のサイズのばらつきや、用紙搬送中のズレなどを十分に吸収する範囲に設定されている。
【００４７】
２８の実線で表す長方形は記録媒体のサイズである。上述したように記録範囲は２８のハッチング示すように記録媒体サイズ２８より大きく設定してある。
【００４８】
２９はシリアル記録動作の１主走査で記録が行われる幅を示し，複数回の主走査で記録が行われる。シリアル印字の主走査記録幅毎に説明する。２９ａの記録では先端の余白をなくすため記録媒体先端部にはみ出し印字を行う。２９ｂ記録では両脇部分にはみ出し印字を行う。順次２９ｂを複数回繰り返し最後に２９ｄの記録で下端部分についてもはみ出し印字を行う。
【００４９】
図３に本発明の記録装置の電気ブロック図を示す。本発明の説明に不必要な部分は省略してある。
【００５０】
１６は中央演算装置を表すＣＰＵであり記録装置の全動作を指令する１７はパソコンなどからの記録命令を受信する記録信号受信部、１８はエラーや警告などをユーザに表示する表示部である。１９は記録ヘッドを駆動する記録ヘッド駆動部、２０はキャリッジモータ駆動部、２１はＬＦモータ駆動部、２２は吸引ポンプ駆動部、２３はキャップをヘッドに圧接  離間するキャップ駆動部、２４はプラテン吸収体の廃インク量をカウントするカウンタ値格納部、２５はメインの吸収体の廃インク量をカウントするカウンタ値収納部である。
【００５１】
図６に示すフロチャートで本発明の記録装置の廃インク処理について説明する。
【００５２】
Ｓ１で画像データを解析し印字に消費されるインク量を計算しＤａに代入する。Ｓ２で前記消費されるインク量のうち用紙に印字されるインク量を算出しＤＫに代入する。Ｓ３でＤａ−Ｄｋ＝Ｈａとしはみ出し部分のインク量を計算する。このＨａはプラテン９のプラテン開口１０に入るインク量であり、プラテン吸収体への廃インク流入量になる。Ｓ４でＨａをプラテン吸収体の積算インク量を計算しＨに代入する。そしてＳ５でプラテン廃インク許容量Ｈｍａｘと比較してＨｍａｘ＞Ｈの場合プラテン廃インクが満タンであると判断しＳ６廃インクエラーを表示する。また上記Ｓ５がＨｍａｘ＞Ｈでは無い場合すなわちプラテン吸収体の吸収容量が満タンにならないと判断されＳ７に進み印字が開始される。
【００５３】
上記説明したように廃インク量を正確に計算しプラテン吸収体の容量と適宜比較することにより廃インク吸収体の利用効率が向上し、装置の寿命の延長や、あらかじめ用意しておく廃インク吸収体の設計体積を小さく出来るため装置の小型化が図れる。
【００５４】
（実施例２）
パソコンに記録装置を接続して使用する場合などにおいてパソコン側で用紙のサイズや印字モード（印字品位）等の印字設定を行った後記録を開始する使用方法がある。
【００５５】
パソコン側での設定は、この他にはみ出し印字の量（面積）や用紙の種類などの設定が行われる。
【００５６】
印字品位の設定や用紙の種類に応じて単位面積あたりのインク使用量が設定されている。すなわち印字品位ではインク使用を少なくしてインク使用量を節約する設定や、高品位の記録を行うため高濃度に記録するモードなどがある。同じ画像データを印字した場合でも前者は単位面積あたりのインク使用量が少なく、後者は多くなる。また用紙の種類もいわゆる普通紙を設定した場合と、インクジェット専用記録紙等のよりインクを多く受容できる記録媒体用いた場合では、同じ画像データを印字した場合でも前者は単位面積あたりのインク使用量が少なく、後者は多くなる。
【００５７】
また用紙サイズによってもはみ出しインク量は異なる。
【００５８】
例えば図５に示すように大きなサイズの用紙Ａ３１の斜線で示すはみ出しエリアＡ３０と小さな用紙Ｂ３２のはみ出しエリアＢ３３と比べるとはみ出しエリアＢ３３のほうが面積は小さいためはみ出しインク量も少ない。
【００５９】
またはみ出し印字エリアの量（面積）をユーザが任意に設定できるものもあるこのように記録モード、用紙種類、用紙サイズ、はみ出し印字エリアの設定からはみ出しインク量をある程度限定できる。
【００６０】
すなわち従来例のように記録装置の最大サイズの記録媒体に、最大デューティでフチなし部分が記録されたことを想定する場合に比べてより少ない想定が可能になるケースがある。
【００６１】
これらの設定情報はパソコンから設定すると、記録命令と共に記録装置に設定情報が送信されてくる。
【００６２】
これらの情報を基にはみ出しインク量を算出しプラテン吸収体への流入廃インク量とする。
【００６３】
前記実施例１のすべての印字データを計算して算出する方法に比べ誤差は大きくなるが、すべての印字データを計測する必要がないため、計算が簡素になりパソコンや記録装置の計算負荷を減らすことが出来る。
【００６４】
図７に示すフロチャートで本発明の記録装置の廃インク処理について説明する。
【００６５】
Ｓ８でパソコン等から送信されてくる用紙サイズ、印字モード、用紙種類、はみ出し量などの情報を取得する。これらの情報を元にＳ９にてはみ出しインク量を計算してＨａに代入する。このＨａの計算ははみ出しエリアの面積，印字モードなどの情報から最大の想定量が計算される。すなわちプラテン９のプラテン開口１０に入る最大想定インク量であり、プラテン吸収体への廃インク流入量の最大想定値になる。
【００６６】
Ｓ１０でＨａをプラテン吸収体の積算インク量を計算しＨに代入する。そしてＳ１１でプラテン廃インク許容量Ｈｍａｘと比較してＨｍａｘ＞Ｈの場合プラテン廃インクが満タンである可能性があると判断しＳ１２で廃インクエラーを表示する。また上記Ｓ１１がＨｍａｘ＞Ｈでは無い場合すなわちプラテン吸収体の吸収容量が満タンにならないと判断されＳ１３に進み印字が開始される。
【００６７】
本実施例ではパソコンから印字設定を行った例を説明したが、記録装置の操作パネル等から印字設定を行っても良い。
【００６８】
（実施例３）
図８のフロチャートで本発明の第３の実施例を説明する。
【００６９】
この方法では、Ｓ１４で画像のデューティを計算しＤａに代入しはみ出し印字の面積の割合からプラテン吸収体に流入するインク量をＳ１５計算しＨａに代入する。Ｈａを積算しプラテン吸収体の積算インク量を計算しＨに代入する。そしてＳ１７でプラテン廃インク許容量Ｈｍａｘと比較してＨｍａｘ＞Ｈの場合プラテン廃インクが満タンである可能性があると判断しＳ１９で廃インクエラーを表示する。また上記Ｓ１７がＨｍａｘ＞Ｈでは無い場合すなわちプラテン吸収体の吸収容量が満タンにならないと判断されＳ１８に進み印字が開始される。
【００７０】
廃インクは水分が過半を占めるため時間とともに水分やその他揮発成分が蒸発するため廃インク積算値から蒸発を考慮して時間とともに減少する関数で計算しても良い。
【００７１】
（実施例４）
前述した吐出回復処理の予備吐出をプラテン９の開口部１０に行うことも可能ある。予備吐出をプラテン９の開口部１０に行うメリットとしてキャップ７内に予備吐出を行う場合はキャリッジ１をキャップ７の位置まで移動しなくてはならない。一方プラテン９９の開口部１０に予備吐出を行う場合は開口範囲であれば任意の位置で予備吐出できるので印字中に予備吐出する場合に短時間の処理で終了する
またキャップ７内に予備吐出した場合吸引ポンプ１４を駆動しなくてはならず処理に時間がかかる。
【００７２】
このように予備吐出をプラテン開口１０に行う場合はプラテン吸収体廃インク積算値に予備吐出で発生した廃インクを予備吐出動作ごとに加算する。
【００７３】
さらには図９に示すようにプラテン吸収体１２に吸引ポンプ１４の廃インクが流入する構成の場合には吐出口形成面をキャップ７で覆った状態で吐出口よりインクを吸引ポンプにより強制的に吸引排出させる動作時ごとに発生した廃インクを加算する。
【００７４】
【発明の効果】
以上説明したようにフチなし印字時のはみ出しインク量をより正確に算出することにより装置の寿命が向上やよりいっそうの装置の小型化が図れる。
【図面の簡単な説明】
【図１】本発明の第１実施例の記録装置斜視図。
【図２】本発明の廃インクの流路に関する模式図。
【図３】本発明の電気ブロック図。
【図４】本発明のフチなし印字の模式図。
【図５】本発明のフチなし印字の模式図。
【図６】本発明のシーケンス図。
【図７】本発明の第二実施例のシーケンス図。
【図８】本発明の第三実施例のシーケンス図。
【図９】本発明の第４実施例の廃インク流路に関する模式図。
【符号の説明】
１  キャリッジ
２  ガイド軸
３  ＡＳＦ
４  ＬＦギア列
５  ＬＦモータ
６  ＬＦローラ
７  キャップ
８  シャーシ
９  プラテン
１０  プラテン開口
１１  排紙ローラ
１２  プラテン廃インク吸収体
１３  メイン廃インク吸収体
１４  吸引ポンプ
１６  ＣＰＵ
１７  記録信号受信部
１８  表示部
１９  記録ヘッド駆動部
２０  キャリッジモータ駆動部
２１  ＬＦモータ駆動部
２２  吸引ポンプ駆動部
２３  キャップ駆動部
２４  プラテン吸収体カウンタ値格納部
２５  メイン吸収体値格納部
２７  記録範囲
２８  記録媒体サイズ
２９  記録幅
３０  はみ出し印字エリアＡ
３１  用紙Ａ
３２  用紙Ｂ
３３  はみ出し印字エリアＢ
【図１】
2004351866.tif 000003
【図２】
2004351866.tif 000004
【図３】
2004351866.tif 000005
【図４】
2004351866.tif 000006
【図５】
2004351866.tif 000007
【図６】
2004351866.tif 000008
【図７】
2004351866.tif 000009
【図８】
2004351866.tif 000010
【図９】
2004351866.tif 000011